(57)【特許請求の範囲】
【請求項１】
金銭取扱装置の装置本体内部に着脱されることにより、装置本体内に投入された金銭や、払出し用の金銭を収容する金庫であって、金庫の一面に設けた開口を開閉する扉と、該扉を閉止状態で施錠するために扉に設けた錠と、を備えたものにおいて、
上記扉には、扉前面に設けた錠の鍵穴を開閉する為のスライド片をスライド自在に支持すると共に、該スライド片を鍵穴を閉止する閉止位置にロックしたり、鍵穴を開放する開放位置に移動させる為の作動部材を備え、
上記装置本体内の収容空所内に、上記金庫を扉が横向きになる状態で収容した時に上記作動部材が上記スライド片を閉止位置にロックし、
上記収容空所から取り出した金庫を、扉を上向きにして縦置きしたときに、上記作動部材が上記スライド片のロックを解除して開放位置に移動可能にすることを特徴とする金庫の構造。
【発明の詳細な説明】
【０００１】
【発明の属する技術分野】
本発明は自動販売機、自動両替機、金銭払出し装置等の金銭取扱装置内に装着されて投入された金銭を受入れたり、払出し用の金銭を収容するために用いられる金庫に関し、特に装置本体内に収容された状態では解錠による不正行為を行うことができない一方で、装置本体外に取り出した際には容易に解錠することができる金庫の構造に関する。
【０００２】
【従来の技術】
自動販売機、自動両替機、金銭払出し装置等の各種の金銭取扱装置にあっては、投入された金銭を収容したり、払出し用の金銭を収容する為の金庫が装備されており、この金庫は装置本体に設けた収容空所内に着脱可能に装備されている。図４(a) は従来の金銭取扱装置の概略図であり、(b) は金庫の斜視図である。この金銭取扱装置１は、(a) に示すようにその収容空所２内に金庫３を矢印方向へ着脱可能に構成されており、金銭投入口４から投入された金銭は金庫３に設けたスリット５から金庫内に収容され、また金庫３内に収容された金銭はスリット５或は図示しない他のスリットから払出し口６へ払出される。
金庫３は(b) に示すように箱形の本体１０の先端面に設けた開口を開閉自在に閉止する為の扉１１を有し、扉１１は例えば上側に設けたヒンジ１２によって開閉可能に支持されている。また、符号１３は鍵穴であり、この鍵穴１３内に図示しない鍵を差し込み解錠することによって扉１１を開放し、金庫内部に収容した金銭を出し入れすることができる。鍵穴１３を有する錠は、図示しないロック機構と連動しており、施錠することによりロック機構が作動して扉１１を金庫本体１０の開口に閉止状態でロックし、解錠することによりロック機構が解除状態となって扉１１の開放を許容する。
金庫内の金銭を出入れする作業は、装置本体から取り出した金庫に対して、鍵を有した特定の者のみが実施可能な作業である。しかし、部外者が装置本体から金庫を取り出すことに一旦成功すれば、鍵を壊して金庫内から金銭を取り出すことは容易である。このため、金銭取扱装置に装着された金庫を不正に取り出すことを防止する為に、金銭取扱装置に、金庫の不正取り出しを検知する検知手段を設け、正規の手続を経ずに金庫が取り出された場合には警報を鳴動させる等の防止措置を講じている。しかし、最近では部外者のみならず、鍵を持たないメンテナンス担当者等が装着状態にあるままの金庫の鍵穴を操作して扉を開放し、内部の金銭を取り出すという不正行為が後を絶たず、金庫の不正取り出しを防止するだけでは片手落ちであった。特に、鍵を持たないメンテナンス担当者にとって、装置本体に装着されたままの金庫の鍵穴を操作して解錠することは比較的容易なことであるため、装着状態にある金庫の解錠を阻止する対策が求められていた。
【０００３】
【発明が解決しようとする課題】
本発明が解決しようとする課題は、金銭取扱装置本体内に収容された状態にある金庫に対して解錠による不正行為を行うことができない一方で、装置本体外に取り出した際には容易に解錠することができる金庫を提供することにある。
【０００４】
【課題を解決するための手段】
上記課題を達成するため、本発明は、金銭取扱装置の装置本体内部に着脱されることにより、装置本体内に投入された金銭や、払出し用の金銭を収容する金庫であって、金庫の一面に設けた開口を開閉する扉と、該扉を閉止状態で施錠するために扉に設けた錠と、を備えたものにおいて、上記扉には、扉前面に設けた錠の鍵穴を開閉する為のスライド片をスライド自在に支持すると共に、該スライド片を鍵穴を閉止する閉止位置にロックしたり、鍵穴を開放する開放位置に移動させる為の作動部材を備え、上記装置本体内の収容空所内に、上記金庫を扉が横向きになる状態で収容した時に上記作動部材が上記スライド片を閉止位置にロックし、上記収容空所から取り出した金庫を、扉を上向きにして縦置きしたときに、上記作動部材が上記スライド片のロックを解除して開放位置に移動可能にすることを特徴とする。
【０００５】
【発明の実施の形態】
以下、本発明を図面に示した形態例により詳細に説明する。
図１は(a) 及び(b) は本発明の金庫の一形態例の斜視図、及びその分解斜視図、(c) は金庫を起立させた状態を示す斜視図である。また、図２(a) (b) (c) は解錠防止機構の解錠防止状態を示す正面図、Ａ−Ａ断面図及びＢ−Ｂ断面図、図３(a) (b) (c) は解錠防止機構の解錠状態を示す正面図、Ｃ−Ｃ断面図及びＤ−Ｄ断面図である。
この金庫２０は、図示しない金銭取扱装置本体に設けた装着空所内に図示の横置き状態で着脱されるものであり、矢印で示す装着方向に向けて装着され、逆方向に向けて取り出される。従って、金庫２０が装置本体内に装着された状態では扉２２は金庫内部を向いている。
この金庫２０は、金庫本体２１の先端面の開口２１ａを開閉する為の扉２１をヒンジ２３によって開閉可能に枢支している。扉２２には、錠２４と、解錠防止機構２５が設けられている。符号２６ａは、金銭取扱装置本体から投入された金銭を金庫内部に受入れるためのスリットであり、２６ｂは金庫内部から払出す為のスリットである。鍵穴２４ａを有する錠２４は、図示しないロック機構と連動しており、施錠することによりロック機構が作動して扉２２を金庫本体２１の開口に閉止状態でロックし、解錠することによりロック機構が解除状態となって扉２２の開放を許容する。
【０００６】
解錠防止機構２５は、扉２２の前面に設けられ錠２４の鍵穴２４ａを開閉する為に矢印方向にスライド自在に支持されたスライド片３０と、スライド片３０をスライド自在に支持するために扉前面に固定されたスライドガイド３１と、扉２２の内部に回動自在に支持されて該スライド片３０を閉止位置にロックしたり、開放位置に移動させる為の作動部材４０とを備える。
スライド片３０は、例えば細幅帯状の薄板の適所に貫通穴３２を設けると共に、貫通穴３２から所定距離ずれた位置において前後へ突出した状態で固定されたピン３３ａ，３３ｂとを有し、貫通穴３２はスライド片３０があるスライド位置にある時に鍵穴２４ａ上に位置して鍵穴２４ａを露出させ得るようにその寸法、位置を設定する。また、スライド片の裏側から突出したピン３３ｂは、扉２２の適所に形成したスリット状の貫通長穴２７内に嵌入する。
スライドガイド３１は、その凹所３１ａ内にスライド片３０を嵌合してスライド方向へ進退可能に支持する部材であり、その上下両端の張り出し部を扉２２の前面に固定される。スライドガイド３１の前面には鍵穴２４を露出させるための貫通穴３５と、貫通長穴２７と対応した長さ寸法、及び位置関係の貫通長穴３６を有する。この貫通長穴３６内には、スライド片３０の前面から突設されたピン３３ａが嵌合している。
【０００７】
作動部材４０は、軸４１を中心として回動可能に支持されており、図１(a) (b) の如く金庫が装置本体内において横置き状態にある時には図２(a) (b) (c) のように自重により軸４１を中心として回転し、扉裏面に向けて係止部材４２が移動する。この時、係止部材４２はスライド片３０の内側のピン３３ｂの直右側位置にあるため、スライド片３０は右方向へスライドすることが禁止される。逆に、図１(c) に示すように装置本体から取り出した金庫を扉２２が上向きになるように縦置き状態にした場合には、図３(a) (b) (c) に示すように作動部材４０は自重により軸４１を中心として約９０度回動して係止部材４２がピン３３ｂの移動経路から退避するため、ピン３３ｂは長穴２７内を自由にスライドすることができ、その結果スライド片３０は貫通穴３２が鍵穴２４及び貫通穴３５と連通する位置に移動することができる。この連通状態において初めて鍵穴２４ａが露出するので、鍵５０を用いて解錠することができる。
即ち、作動部材４０は、扉２２の裏側に設けられた軸４１により一端を枢支され他端から係止部材４２を突設させた構成を有し、係止部材４２は金庫が横置き状態にある時には係止部材４２をピン３３ｂの移動経路に突出させてスライド片３０の開放方向への移動を阻止し、逆に金庫が縦置き状態にある時には係止部材４２をピン３３ｂの移動経路から退避させてスライド片の開放方向への移動を許容するように構成されている。長穴３６から突出したピン３３ａは操作者が指で把持してスライド片３０を開閉方向に操作するための操作ノブとなる。
【０００８】
以下、本発明の操作を図面に基づいて詳細に説明する。
金庫を図示しない金銭取扱装置本体内の収容空所内に収容する際には、図１(a) (b) の如く横置きの水平姿勢にして矢印方向に装着する。この時、作動部材４２は自重により軸４１を中心として扉２２の裏面に向けて回動しているので、係止部材４２が図２(a) に示すピン３３ｂの右側に位置し、スライド片３０の右方向（開放方向）への移動を禁止する。この状態では、スライド片３０は左寄り、即ち閉止位置にあるため、スライド片３０の貫通穴３２は、スライドガイド３１の貫通穴３５からずれた位置にあり、貫通穴３５と鍵穴２４ａとの間にはスライド片３０の板面が位置している為、鍵穴２４ａに錠５０を差し込むことができない。また、鍵５０以外の道具を用いて鍵穴２４ａを介して錠２４を操作しようとしても、スライド片の板面が障害となって解錠することは不可能である。
このように装置本体内に横置き状態で装着された金庫の扉２２を開放して内部の金銭を取り出す為に、錠２４を解錠しようとしても、鍵穴２４ａに道具を差し入れることは不可能であり、その結果として不正行為を防止することができる。
【０００９】
次に、鍵を保持した正規の作業者が、正規の手順を経て金銭取扱装置本体の収容空所内から金庫を取り出した後で、錠２４を解錠して金庫内部の金銭を取り出したり、金庫内に金銭を補充する作業を行う場合には、まず図１(c) に示すように扉２２を上向きにして金庫を縦置きにする。この際、図３(a) (b) 及び(c) に示すように作動部材４２は自重により軸４１を中心として回動し、係止部材４２はピン３３ｂの移動経路から退避する。このため、操作者はピン３３ａを把持してスライド片３０を矢印アで示す開放方向へ移動させることが可能となる。ピン３３ａを、長穴３６の端部に達するまで移動させると、スライド片３０の貫通穴３２はスライドガイドの貫通穴３５及び鍵穴２４ａと連通する位置に移動するので、この時点で貫通穴３５から鍵穴２４ａが露出した状態となり、鍵５０を用いた解錠が可能となる。
このように本発明の金庫によれば、横置き状態で装置本体内に収納された時には、解錠防止機構の作動により鍵穴がスライド片により閉止されているので不正に解錠することが不可能であり、また正規の資格者が正規の手順で装置本体から金庫を取り出した場合には、扉を上向きにして金庫を縦置きするだけで、解錠防止機構が解除状態となり、簡単な操作によって鍵穴を露出させ、鍵を用いた解錠が可能となる。
【００１０】
【発明の効果】
以上のように本発明によれば、金銭取扱装置本体内に横置きで収容された状態にある金庫に対して解錠による不正行為を行うことができない一方で、装置本体外に取り出した際には縦置きにすることにより容易に解錠することができる金庫の構造を提供することができる。
【図面の簡単な説明】
【図１】  (a) 及び(b) は本発明の金庫の一形態例の斜視図、及びその分解斜視図、(c) は金庫を起立させた状態を示す斜視図。
【図２】  (a) (b) 及び(c) は解錠防止機構の解錠防止状態を示す正面図、Ａ−Ａ断面図及びＢ−Ｂ断面図。
【図３】  (a) (b) (c) は解錠防止機構の解錠状態を示す正面図、Ｃ−Ｃ断面図及びＤ−Ｄ断面図。
【図４】  (a) 及び(b) は従来例の説明図。
【符号の説明】
２０  金庫、２１  金庫本体、２１ａ  開口，２３  ヒンジ，２４  錠，２４ａ
鍵穴、２５  解錠防止機構，２６ａ，２６ｂ  スリット、
３０  スライド片、３１  スライドガイド、３２  貫通穴、３３ａ，３３ｂ  ピン、２７  貫通長穴、３５  貫通穴、３６  貫通長穴、４０  作動部材、
４１  軸、４２  係止部材。
【図１】
0004072608.tif 000002
【図２】
0004072608.tif 000003
【図３】
0004072608.tif 000004
【図４】
0004072608.tif 000005